(57)【要約】      （修正有）【課題】容易に汗を拭き取ることができるコンプレッションウェアを提供すること。【解決手段】コンプレッションウェア１は、第１側端縁部２ａと第２側端縁部とを有する前身頃部材２と、第３側端縁部３ａと第４側端縁部とを有して前身頃部材に対向する後身頃部材３と、スライドファスナーとを備え、スライドファスナーが、第１側端縁部に配置される第１エレメント列と、第１エレメント列に接続可能に対向して第３側端縁部に配置される第２エレメント列と、第１エレメント列と第２エレメント列とに沿って上下方向に摺動して第１エレメント列と第２エレメント列とを離間可能にするスライダーとを有する。コンプレッションウェアは、第１側端縁部と第１側端縁部に対向する第３側端縁部とが、第１エレメント列と第２エレメント列とを介して離間可能に接続され、第２側端縁部と第４側端縁部とが接続される。【選択図】図３
0003225028.tif 000002
【実用新案登録請求の範囲】
【請求項１】
上下方向にそれぞれ沿った第１側端縁部と第２側端縁部とを有して上半身の正面側を覆う前身頃部材と、
上下方向にそれぞれ沿った第３側端縁部と第４側端縁部とを有して前記前身頃部材に対向して上半身の背面側を覆う後身頃部材と、
スライドファスナーと
を備え、
前記スライドファスナーが、
前記第１側端縁部に上下方向に沿って配置される第１エレメント列と、
前記第１エレメント列に接続可能に対向して、前記第３側端縁部に上下方向に沿って配置される第２エレメント列と、
前記第１エレメント列と前記第２エレメント列とに沿って上下方向に摺動して前記第１エレメント列と前記第２エレメント列とを離間可能に接続するスライダーと
を有するコンプレッションウェアであって、
前記前身頃部材の前記第１側端縁部と前記第１側端縁部に対向する前記後身頃部材の前記第３側端縁部とが、前記第１エレメント列と前記第２エレメント列とを介して離間可能に接続され、
前記前身頃部材の幅方向の前記第１側端縁部とは反対側の第２側端縁部と、前記後身頃部材の幅方向の前記第３側端縁部とは反対側の前記第２側端縁部に対向する第４側端縁部とが接続される、
コンプレッションウェア。
【請求項２】
前記スライダーは、
前記スライドファスナーの上方から下方に向けて摺動して前記第１エレメント列と前記第２エレメント列とを接続し、
前記スライドファスナーの前記下方から前記上方に向けて摺動して前記第１エレメント列と前記第２エレメント列との接続を解除し、前記スライダーから下方の前記前身頃部材の第１側端縁部と前記後身頃部材の第３側端縁部とは、離間される、
請求項１に記載のコンプレッションウェア。
【請求項３】
前記スライドファスナーは、コンシールファスナーで構成される、請求項１又は２に記載のコンプレッションウェア。
【請求項４】
前記スライドファスナーの裏側に沿って前記スライドファスナーを覆うように前記前身頃部材又は前記後身頃部材に接続される防御布を更に備える、請求項１〜３のいずれか１つに記載のコンプレッションウェア。
【請求項５】
前記前身頃部材の両側端縁部間の幅方向の寸法と前記後身頃部材の両側端縁部間の幅方向の寸法とは、各側端縁部の上下方向の中間部において前記前身頃部材の下端部の幅方向の寸法と前記後身頃部材の下端部の幅方向の寸法とよりも短い、請求項１〜４のいずれか１つに記載のコンプレッションウェア。
【請求項６】
前記前身頃部材と前記後身頃部材とがポリウレタン素材で構成される、請求項１〜５のいずれか１つに記載のコンプレッションウェア。
【考案の詳細な説明】
【技術分野】
【０００１】
本考案は、コンプレッションウェアに関する。
【背景技術】
【０００２】
特許文献１には、コンプレッションウェアが開示されている。特許文献１に開示されたコンプレッションウェアは、前身頃部材と、後身頃部材と、袖割り込み部材とを備える。前身頃部材と後身頃部材とは、ストレッチ素材によって構成され、袖割り込み部材はストレッチ素材からなるメッシュ生地によって構成される。コンプレッションウェアは、着用者の身体に密着してフィットするように構成される。
【先行技術文献】
【特許文献】
【０００３】
【特許文献１】特開２００１−４９５０８号公報
【考案の概要】
【考案が解決しようとする課題】
【０００４】
前記コンプレッションウェアでは、前身頃部材と後身頃部材とが、袖脇割り込み部材を介して互いに縫合され、着用者の身体に密着してフィットするように構成される。このため、前記コンプレッションウェアは、例えば、着用時にかいた汗を拭き取る時に、前身頃部材と後身頃部材との接続を解除できないので、容易に汗を拭き取ることができない場合がある。
【０００５】
従って、本考案の目的は、前記課題を解決することにあって、容易に汗を拭き取ることができるコンプレッションウェアを提供することにある。
【課題を解決するための手段】
【０００６】
前記目的を達成するために、本考案の１つの態様に係るコンプレッションウェアは、
上下方向にそれぞれ沿った第１側端縁部と第２側端縁部とを有して上半身の正面側を覆う前身頃部材と、
上下方向にそれぞれ沿った第３側端縁部と第４側端縁部とを有して前記前身頃部材に対向して上半身の背面側を覆う後身頃部材と、
スライドファスナーと
を備え、
前記スライドファスナーが、
前記第１側端縁部に上下方向に沿って配置される第１エレメント列と、
前記第１エレメント列に接続可能に対向して、前記第３側端縁部に上下方向に沿って配置される第２エレメント列と、
前記第１エレメント列と前記第２エレメント列とに沿って摺動して前記第１エレメント列と前記第２エレメント列とを離間可能にするスライダーと
を有するコンプレッションウェアであって、
前記前身頃部材の前記第１側端縁部と前記第１側端縁部に対向する前記後身頃部材の前記第３側端縁部とが、前記第１エレメント列と前記第２エレメント列とを介して離間可能に接続され、
前記第１側端縁部とは反対側の第２側端縁部と、前記第３側端縁部とは反対側の前記第２側端縁部に対向する第４側端縁部とが接続される。
【考案の効果】
【０００７】
本考案の前記態様によれば、前身頃部材が有する第１側端縁部に配置される第１エレメント列と後身頃部材が有する第３側端縁部に配置される第２エレメント列とが、スライダーを摺動することによって離間可能に接続される。このような構成により、例えば、着用時にかいた汗を拭き取る時に、スライダーを摺動させて前身頃部材と後身頃部材との接続を解除して、前身頃部材を捲り上げて汗を容易に拭き取ることができる。
【図面の簡単な説明】
【０００８】
【図１Ａ】本考案の第１実施形態のコンプレッションウェアの正面図。
【図１Ｂ】図１Ａに示すコンプレッションウェアの背面図。
【図２】図１Ａに示すコンプレッションウェアが備える前身頃部材と後身頃部材とが、スライドファスナーが有するスライダーの摺動によって一部離間した様子を示す部分拡大図。
【図３】図１Ａに示すコンプレッションウェアが備える前身頃部材と後身頃部材とが、更に離間した様子を示す斜視図。
【図４】図１Ａに示すコンプレッションウェアの着用時に、前身頃部材と後身頃部材とを離間させて汗を拭き取る様子を示す斜視図。
【図５Ａ】図１Ａに示す第１実施形態の第１変形例のコンプレッションウェアの正面図。
【図５Ｂ】図５Ａに示す第１実施形態の第１変形例のコンプレッションウェアの背面図。
【考案を実施するための形態】
【０００９】
以下に、本考案に係る実施の形態を図面に基づいて詳細に説明する。なお、本実施の形態は、長袖を備える形態で説明するが、例えば、半袖を備える形態又は袖を備えない形態であってもよい。
【００１０】
（第１実施形態）
本考案の第１実施形態のコンプレッションウェア１は、図１Ａ及び図１Ｂに示すように、着用時に上半身の正面側を覆う前身頃部材２と、前身頃部材２に対向して上半身の背面側を覆う後身頃部材３とを備える。前身頃部材２と後身頃部材３とは、例えば、ポリウレタンなどの伸縮性素材で構成される。前身頃部材２は、幅方向の一端部の上下方向に沿った第１側端縁部２ａと、幅方向の第１側端縁部２ａとは反対側の端部の上下方向に沿った第２側端縁部２ｂとを有する。後身頃部材３は、幅方向の一端部の上下方向に沿った第３側端縁部３ａと、幅方向の第３側端縁部とは反対側の端部の上下方向に沿った第４側端縁部３ｂとを有する。第２側端縁部２ｂと第４側端縁部３ｂとは、互いに対向して縫製されて接続される。一方、第１側端縁部２ａと第３側端縁部３ａとは、互いに対向して、両側端縁部の上端部が縫製されて接続され、その他の部分は縫製されていない。
【００１１】
コンプレッションウェア１は、図１Ａ及び図１Ｂに示すように、第２側端縁部２ｂと第４側端縁部３ｂとは異なり、第１側端縁部２ａと第３側端縁部３ａとの縫製された上端部を除き、互いに対向する第１側端縁部２ａと第３側端縁部３ａとを縫製せずに離間可能に接続するスライドファスナー４を更に備える。なお、本実施形態において第１側端縁部２ａと第３側端縁部３ａとスライドファスナー４とは、コンプレッションウェア１の左側に配置されているが、右側に配置されてもよい。また、本実施形態において第２側端縁部２ｂと第４側端縁部３ｂとは、コンプレッションウェア１の右側に配置されているが、左側に配置されてもよい。つまり、第１側端縁部２ａと第３側端縁部３ａとスライドファスナー４とに対して、第２側端縁部２ｂと第４側端縁部３ｂとがコンプレッションウェア１の横幅方向の反対側に配置されれば、それぞれの左右の配置は問わない。
【００１２】
スライドファスナー４は、図２に示すように、第１側端縁部２ａに上下方向に沿って配置される第１エレメント列４ａと、第１エレメント列４ａに接続可能に対向して、第３側端縁部３ａに上下方向に沿って配置される第２エレメント列４ｂとを有する。スライドファスナー４は、第１エレメント列４ａと第２エレメント列４ｂとに沿って上下方向沿いに摺動するスライダー４ｃを更に有する。スライダー４ｃは、上向き摺動時には第１エレメント列４ａと第２エレメント列４ｂとを離間させる一方、下向き摺動時には第１エレメント列４ａと第２エレメント列４ｂとを接続させる。なお、スライドファスナー４は、コンシールファスナーであってもよい。
【００１３】
スライダー４ｃがスライドファスナー４の下端部に位置するときに、第１エレメント列４ａと第２エレメント列４ｂとは、スライドファスナー４の離間又は接続が可能な全領域において接続される。一方、スライダー４ｃがスライドファスナー４の上端部に位置するときに、第１エレメント列４ａと第２エレメント列４ｂとは、スライドファスナー４の離間又は接続が可能な全領域において離間される。図２に示すように、スライダー４ｃがスライドファスナー４の中間部に位置するとき、スライダー４ｃとスライドファスナー４の上端部との間の領域において第１エレメント列４ａと第２エレメント列４ｂとは接続される。一方、スライダー４ｃがスライドファスナー４の中間部に位置するとき、スライダー４ｃとスライドファスナー４の下端部との間の領域において第１エレメント列４ａと第２エレメント列４ｂとは離間される。
【００１４】
要するに、スライダー４ｃがスライドファスナー４の下端部から上端部に向けて摺動するのにつれて、第１エレメント列４ａと第２エレメント列４ｂとが離間されている領域が徐々に大きくなる。その結果、第１側端縁部２ａと第３側端縁部３ａとが離間されている領域が徐々に大きくなる。一方、スライダー４ｃがスライドファスナー４の上端部から下端部に向けて摺動するのにつれて、第１エレメント列４ａと第２エレメント列４ｂとが接続されている領域が徐々に大きくなる。その結果、第１側端縁部２ａと第３側端縁部３ａとが接続されている領域が徐々に大きくなる。言い換えると、第１エレメント列４ａが配置されている第１側端縁部２ａと、第２エレメント列４ｂが配置されている第３側端縁部３ａとは、スライダー４ｃの位置に対応して離間又は接続される。
【００１５】
前身頃部材２の第１側端縁部２ａと第２側端縁部２ｂとは、両側端縁部の上端部及び下端部において前身頃部材２の幅方向の寸法が長く、両側端縁部の中間部において前身頃部材２の幅方向の寸法が短くなるように設けられる。言い換えると、第１側端縁部２ａと第２側端縁部２ｂとは、各中間部から各上端部及び各下端部に向けて、前身頃部材２の幅方向の外向きに徐々に広がるように、各中間部を凹部とする湾曲形状に設けられる。
【００１６】
防御布５は、スライドファスナー４の上端部から下端部にかけて沿う上下方向の長さを有し、スライドファスナー４よりもやや幅広い帯状である。防御布５は、図２に示すように、前身頃部材２の裏側の第１側端縁部２ａ付近に接続され、スライドファスナー４の裏側に沿うように配置される。このように配置されることで、第１エレメント列４ａと第２エレメント列４ｂとスライダー４ｃとが着用者の肌に直接触れることを防ぐことができる。なお、防御布５は、前身頃部材２に接続される代わりに、後身頃部材３の裏側の第３側端縁部３ａ付近に接続され、スライドファスナー４の裏側に沿うように配置されてもよい。
【００１７】
コンプレッションウェア１は、一例として、スライドファスナー４を閉じて着用することができるが、スライドファスナー４を開けて着用することもできる。汗をかいたとき、スライダー４ｃをスライドファスナー４の上方に摺動することで第１エレメント列４ａと第２エレメント列４ｂとが離間される。そのため、前身頃部材２を捲り上げることができて、腹部又は胸部などの汗を容易に拭き取ることができる。更に、コンプレッションウェア１を脱ぐとき、スライドファスナー４を開けて脱ぐことができるが、スライドファスナー４を閉じて脱ぐこともできる。
【００１８】
図２は、一例として、着用者が汗をかいたときにスライダー４ｃをスライドファスナー４の途中まで上方に摺動させた状態を示す。この状態から、更にスライダー４ｃがスライドファスナー４の上端部に向けて摺動すると、図３に示すように、コンプレッションウェア１が備える前身頃部材２と後身頃部材３とは、更に離間する。このように、コンプレッションウェア１は、スライダー４ｃを摺動させてスライドファスナー４の任意の位置に移動させることで、前身頃部材２と後身頃部材３との離間又は接続の状態を任意に調整することができる。
【００１９】
例えば、コンプレッションウェア１を着用するときに、スライダー４ｃをスライドファスナー４の下端部まで摺動させておくと、前身頃部材２と後身頃部材３とが接続されて一体化しているため、裾部を掴んで引き下ろしやすくなる。あるいは、コンプレッションウェア１を脱ぐときに、スライダー４ｃをスライドファスナー４の上端部まで摺動させておくと、前身頃部材２を後身頃部材３から離間させて捲り上げられて着用者の肌から離せるため、脱ぎやすくなる。
【００２０】
また、着用者が汗を拭き取るときにスライダー４ｃをスライドファスナー４の上端部まで摺動させておくと、前身頃部材２を後身頃部材３から離間させて捲り上げられるため、着用しながらでも、汗を拭くタオルなどが届く範囲を広げることができる。例えば、図４に示すように、着用者が右手で前身頃部材２を捲り上げて前身頃部材２と後身頃部材３とを大きく離間させて、左手で腹部又は胸部などの汗を容易に拭き取ることができる。
【００２１】
要するに、コンプレッションウェア１によれば、スライドファスナー４が第１側端縁部２ａと第３側端縁部３ａとを離間又は接続するように備えられ、具体的には、スライダー４ｃがスライドファスナー４に沿って上下方向に摺動して第１側端縁部２ａと第３側端縁部３ａとを離間又は接続するように構成される。スライダー４ｃをスライドファスナー４の下端部から上端部に向けて摺動することで、スライダー４ｃの位置に対応して第１側端縁部２ａと第３側端縁部３ａとの接続が解除される。また、スライダー４ｃをスライドファスナー４の上端部から下端部に向けて摺動することで、スライダー４ｃの位置に対応して第１側端縁部２ａと第３側端縁部３ａとが接続される。
【００２２】
このような構成により、第１側端縁部２ａを有する前身頃部材２と第３側端縁部３ａを有する後身頃部材３とを、離間又は接続させることができる。その結果、例えば、着用者が汗をかいたときに前身頃部材２と後身頃部材３とを離間させて、前身頃部材２を捲り上げて、腹部又は胸部などの汗を容易に拭き取ることができる。これに対して、従来技術に記載したように前身頃部材と後身頃部材とを互いに縫合して接続する場合には、前身頃部材と後身頃部材とを離間できない。そのため、例えば、着用者が汗をかいたときに前身頃部材を捲り上げられず、腹部又は胸部などの汗を拭き取りにくい原因となる。
【００２３】
（変形例）
第１実施形態では、スライドファスナー４をコンプレッションウェア１の横方向の片側にのみ備えるように構成しているが、両側に備えるように構成してもよい。具体的には、コンプレッションウェア１は、図５Ａ及び図５Ｂに示すように、第１スライドファスナー４１と第２スライドファスナー４２とを備えることができる。なお、第１スライドファスナー４１と第２スライドファスナー４２とは、第１実施形態におけるスライドファスナー４と同様のものであり、それぞれ第１エレメント列と第２エレメント列とスライダーとを有することに変わりはない。
【００２４】
第１実施形態の変形例として、図５Ａ及び図５Ｂに示すように、第１側端縁部２ａと第３側端縁部３ａとを離間又は接続可能にする第１スライドファスナー４１を備え、第２側端縁部２ｂと第４側端縁部３ｂとを離間又は接続可能にする第２スライドファスナー４２を備えてもよい。これにより、前身頃部材２と後身頃部材３とを幅方向の両側で離間又は接続することができる。このような構成により、例えば、着用者が汗をかいたときに前身頃部材２と後身頃部材３とを幅方向の両側で離間させることができるので、前身頃部材２を幅方向の両側から捲り上げて、前身頃部材２をより大きく捲り上げることかできる。そのため、着用者が右利き又は左利きであるかを問わずに腹部又は胸部などの汗を容易に拭き取ることができる。
【００２５】
なお、前記実施形態又は変形例を適宜組み合わせることにより、それぞれの有する効果を奏するようにすることができる。また、実施形態と実施例との組み合わせが可能であると共に、異なる実施形態又は実施例の中の特徴同士の組み合わせも可能である。
【産業上の利用可能性】
【００２６】
本考案の前記態様に係るコンプレッションウェアは、例えば、汗を拭き取るような状況下で使用されるウェアに適用可能である。
【符号の説明】
【００２７】
１    コンプレッションウェア
２    前身頃部材
２ａ  第１側端縁部
２ｂ  第２側端縁部
３    後身頃部材
３ａ  第３側端縁部
３ｂ  第４側端縁部
４    スライドファスナー
４１    第１スライドファスナー
４２    第２スライドファスナー
４ａ  第１エレメント列
４ｂ  第２エレメント列
４ｃ  スライダー
５    防御布
【図１Ａ】
0003225028.tif 000003
【図１Ｂ】
0003225028.tif 000004
【図２】
0003225028.tif 000005
【図３】
0003225028.tif 000006
【図４】
0003225028.tif 000007
【図５Ａ】
0003225028.tif 000008
【図５Ｂ】
0003225028.tif 000009